(57)【特許請求の範囲】
【請求項１】
アクセスポイントの一覧表示機能を有しない電子機器に含まれる無線通信装置であって、
ＳＳＩＤが入力される入力部と、
第１の要求情報をブロードキャスト送信することにより、前記アクセスポイントに関する第１の応答情報を受信する無線通信部と、
前記第１の応答情報に基づき、前記アクセスポイントに関するスキャンリストデータを更新する更新部と、
前記スキャンリストデータにおいて、前記入力部に入力されたＳＳＩＤと一致するＳＳＩＤを有するデータがあるかどうかを判定する判定部と、
当該判定部によって、前記入力部に入力されたＳＳＩＤと一致するＳＳＩＤを有するデータがないと判定された場合、接続用データに基づき、接続用情報を設定する制御部と、
を含み、
前記無線通信部は、前記判定部によって前記スキャンリストデータに前記入力部に入力されたＳＳＩＤと一致するＳＳＩＤを有するデータがあると判定された場合には、前記入力部に入力されたＳＳＩＤを指定した第２の要求情報をユニキャスト送信することにより、当該ＳＳＩＤに対応したアクセスポイントとの接続を行うとともに、前記判定部によって前記スキャンリストデータに前記入力部に入力されたＳＳＩＤと一致するＳＳＩＤを有するデータがないと判定された場合には、前記接続用情報と、前記入力部に入力されたＳＳＩＤとを指定した第２の要求情報をユニキャスト送信することにより、当該ＳＳＩＤに対応したアクセスポイントとの接続を行う、無線通信装置。
【請求項２】
請求項１に記載の無線通信装置において、
前記接続用データは、認証方式ごとの優先度を示すデータを含み、
前記制御部は、前記接続用情報の一部として、前記優先度に応じた認証方式を設定する、
無線通信装置。
【請求項３】
請求項１、２のいずれかに記載の無線通信装置において、
前記接続用データは、事前共有鍵対応のデータと、事前共有鍵非対応のデータとを含み、
前記入力部は、指定された認証方式を示す情報が入力され、
前記制御部は、前記指定された認証方式に基づき、前記事前共有鍵対応のデータまたは前記事前共有鍵非対応のデータを参照することにより、前記接続用情報を設定する、
無線通信装置。
【請求項４】
請求項１〜３のいずれかに記載の無線通信装置において、
前記アクセスポイントは、ＳＳＩＤが非公開の設定である、
無線通信装置。
【請求項５】
請求項１〜４のいずれかに記載の無線通信装置と、
前記ＳＳＩＤの指定を受け付ける指定画像を投写する投写部と、
前記ＳＳＩＤの指定を受け付ける受付部と、
当該受付部によって受け付けられた前記ＳＳＩＤを前記入力部に出力する出力部と、
を含むプロジェクター。
【請求項６】
アクセスポイントの一覧表示機能を有しない電子機器に含まれる無線通信装置が、
ＳＳＩＤが入力され、
第１の要求情報をブロードキャスト送信することにより、前記アクセスポイントに関する第１の応答情報を受信し、
前記第１の応答情報に基づき、前記アクセスポイントに関するスキャンリストデータを更新し、
前記スキャンリストデータにおいて、入力されたＳＳＩＤと一致するＳＳＩＤを有するデータがあるかどうかを判定し、
前記スキャンリストデータに前記入力されたＳＳＩＤと一致するＳＳＩＤを有するデータがあると判定された場合には、前記入力されたＳＳＩＤを指定した第２の要求情報をユニキャスト送信することにより、当該ＳＳＩＤに対応したアクセスポイントとの接続を実行し、
前記スキャンリストデータに前記入力されたＳＳＩＤと一致するＳＳＩＤを有するデータがないと判定された場合には、接続用データに基づき、接続用情報を設定し、前記接続用情報と、前記入力されたＳＳＩＤとを指定した第２の要求情報をユニキャスト送信することにより、当該ＳＳＩＤに対応したアクセスポイントとの接続を行う、
無線通信方法。
【発明の詳細な説明】
【技術分野】
【０００１】
本発明は、無線通信装置、プロジェクターおよび無線通信方法に関する。
【背景技術】
【０００２】
無線ＬＡＮの通信方式として、アクセスポイントを介さずに無線通信装置同士が直接通信を行うアドホックモードと、アクセスポイントを介して無線通信装置同士が通信を行うインフラストラクチャーモードがある。インフラストラクチャーモードでは、セキュリティーを確保するため、ＳＳＩＤ（Service Set Identifier、ＥＳＳＩＤともいう。）を使用してアクセスポイントに接続する方式が一般的である。例えば、特開２００５−１７６１００号公報では、ＳＳＩＤの入力を受け付け、当該ＳＳＩＤを用いた検索通信を行うことによってアクセスポイントに接続する通信端末が記載されている。
【先行技術文献】
【特許文献】
【０００３】
【特許文献１】特開２００５−１７６１００号公報
【発明の概要】
【発明が解決しようとする課題】
【０００４】
しかし、アクセスポイントでＳＳＩＤ非公開設定（ＳＳＩＤステルス、ＳＳＩＤ非通知）が行われている場合や、通信状況がよくない場合、要求情報をブロードキャスト送信しても当該アクセスポイントから応答が得られず、当該アクセスポイントから接続に必要な情報が得られない。特に、プロジェクター等の場合、ノート型ＰＣ（Personal Computer）のように無線通信装置を内蔵していることが一般的でないので、接続先のアクセスポイントを一覧表示する機能を有していない。このため、ユーザーは、プロジェクター等を、ＳＳＩＤ非公開設定が行われたアクセスポイント等に接続させることができない場合がある。
【０００５】
本発明にかかるいくつかの態様は、上記課題を解決することにより、要求情報をブロードキャスト送信してもアクセスポイントから適切な応答が得られない場合であっても、当該アクセスポイントに接続することが可能な無線通信装置、プロジェクターおよび無線通信方法を提供するものである。
【課題を解決するための手段】
【０００６】
本発明の態様の１つである無線通信装置は、アクセスポイントの一覧表示機能を有しない電子機器に含まれる無線通信装置であって、ＳＳＩＤが入力される入力部と、第１の要求情報をブロードキャスト送信することにより、前記アクセスポイントに関する第１の応答情報を受信する無線通信部と、前記第１の応答情報に基づき、前記アクセスポイントに関するスキャンリストデータを更新する更新部と、前記スキャンリストデータにおいて、前記入力部に入力されたＳＳＩＤと一致するＳＳＩＤを有するデータがあるかどうかを判定する判定部と、当該判定部によって、前記入力部に入力されたＳＳＩＤと一致するＳＳＩＤを有するデータがないと判定された場合、接続用データに基づき、接続用情報を設定する制御部と、を含み、前記無線通信部は、前記接続用情報と、前記入力部に入力されたＳＳＩＤとを指定した第２の要求情報をユニキャスト送信することにより、当該ＳＳＩＤに対応したアクセスポイントとの接続を行うことを特徴とする。これによれば、無線通信装置等は、要求情報をブロードキャスト送信してもアクセスポイントから適切な応答が得られない場合であっても、当該アクセスポイントに接続することができる。
【０００７】
また、前記接続用データは、認証方式ごとの優先度を示すデータを含み、前記制御部は、前記接続用情報の一部として、前記優先度に応じた認証方式を設定してもよい。これによれば、無線通信装置等は、優先度に応じた認証方式を設定することにより、より迅速に所望のアクセスポイントに接続することができる。
【０００８】
また、前記接続用データは、事前共有鍵対応のデータと、事前共有鍵非対応のデータとを含み、前記入力部は、指定された認証方式を示す情報が入力され、前記制御部は、前記指定された認証方式に基づき、前記事前共有鍵対応のデータまたは前記事前共有鍵非対応のデータを参照することにより、前記接続用情報を設定してもよい。これによれば、無線通信装置等は、指定された認証方式に応じたデータを用いることにより、より確実に所望のアクセスポイントに接続することができる。
【０００９】
また、前記アクセスポイントは、ＳＳＩＤが非公開の設定であってもよい。前記無線通信部は、前記接続用情報と、前記入力部に入力されたＳＳＩＤとを指定した第２の要求情報をユニキャスト送信するので、無線通信装置等は、ＳＳＩＤが非公開の設定になっているアクセスポイントであっても、接続に必要な情報を得ることができるため、当該アクセスポイントに接続することが可能になる。
【００１０】
また、本発明の態様の１つであるプロジェクターは、上記無線通信装置と、前記ＳＳＩＤの指定を受け付ける指定画像を投写する投写部と、前記ＳＳＩＤの指定を受け付ける受付部と、当該受付部によって受け付けられた前記ＳＳＩＤを前記入力部に出力する出力部と、を含むことを特徴とする。これによれば、当該プロジェクターの利用者は、投写される指定画像によって示される指示に従って接続したいアクセスポイントのＳＳＩＤを指定することができるので利便性が高い。さらに、無線通信装置側に別途ＳＳＩＤの指定を促すメッセージの表示等をする手段を設ける必要がないので、無線通信装置のコストを低減することができる。
【００１１】
また、本発明の態様の１つである無線通信方法は、アクセスポイントの一覧表示機能を有しない電子機器に含まれる無線通信装置が、ＳＳＩＤが入力され、第１の要求情報をブロードキャスト送信することにより、前記アクセスポイントに関する第１の応答情報を受信し、前記第１の応答情報に基づき、前記アクセスポイントに関するスキャンリストデータを更新し、前記スキャンリストデータにおいて、入力されたＳＳＩＤと一致するＳＳＩＤを有するデータがあるかどうかを判定し、前記スキャンリストデータにおいて、前記入力されたＳＳＩＤと一致するＳＳＩＤを有するデータがない場合、接続用データに基づき、接続用情報を設定し、前記接続用情報と、前記入力されたＳＳＩＤとを指定した第２の要求情報をユニキャスト送信することにより、当該ＳＳＩＤに対応したアクセスポイントとの接続を行うことを特徴とする。この方法によれば、無線通信装置は、要求情報をブロードキャスト送信してもアクセスポイントから適切な応答が得られない場合であっても、当該アクセスポイントに接続することができる。
【図面の簡単な説明】
【００１２】
【図１】第１の実施例における通信状況を示す図である。
【図２】第１の実施例におけるプロジェクターの機能ブロック図である。
【図３】第１の実施例における無線通信手順を示すフローチャートである。
【図４】第１の実施例における無線ＬＡＮ設定画像の一例を示す図である。
【図５】第１の実施例におけるセキュリティー設定画像の一例を示す図である。
【図６】第１の実施例における設定完了画像の一例を示す図である。
【図７】第１の実施例における接続用データの一例を示す図である。
【００１３】
設定完了画像の一例を示す図である。
【発明を実施するための形態】
【００１４】
以下、本発明をプロジェクターに適用した実施例について、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００１５】
（第１の実施例）
図１は、第１の実施例における通信状況を示す図である。プロジェクター１００は、着脱可能な無線通信装置１１０がプロジェクター１００のＵＳＢスロットに差し込まれた状態でアクセスポイント３００に無線で接続する。ＰＣ２００は、アクセスポイント３００に無線で接続している。プロジェクター１００は、アクセスポイント３００を介して送信されるＰＣ２００からの画像情報に基づき、スクリーン１０に画像２０を投写する。なお、実際には、アクセスポイント３００以外にも複数のアクセスポイントが存在している。
【００１６】
このような無線ネットワークが構成される場合、ＳＳＩＤが用いられることにより、各無線ネットワークが識別される。また、プロジェクター１００等は、アクセスポイント３００に接続する際に、プローブ要求パケット等を送信し、プローブ応答パケット等を受信することにより、接続に必要な情報を得る。しかし、アクセスポイント３００でＳＳＩＤが非公開の設定になっている場合、プロジェクター１００等は、ＳＳＩＤ等のネットワーク識別情報が指定されていないプローブ要求パケットをブロードキャスト送信しても、アクセスポイント３００から接続に必要な情報を得ることはできない。本実施例では、プロジェクター１００は、ＳＳＩＤを指定したプローブ要求パケットをブロードキャスト送信しても、所望のＳＳＩＤに適合するデータが得られない場合に、接続用データを用いて接続用情報を設定することにより、所望のＳＳＩＤに対応したアクセスポイント３００に接続する機能を有している。次に、このような機能を有するプロジェクター１００の機能ブロックについて説明する。
【００１７】
図２は、第１の実施例におけるプロジェクター１００の機能ブロック図である。プロジェクター１００は、無線通信装置１１０と、出力部としての機能を有するＵＳＢインターフェイス部１７２と、画像２０を投写する投写部１９０と、ユーザーの指示を受け付ける受付部１８０を含んで構成されている。また、無線通信装置１１０は、無線通信部１２０と、スキャンリストデータ１４２、ネットワーク設定データ１４４、接続用データ１４６等を記憶する記憶部１４０と、スキャンリストデータ１４２等を更新する更新部１３０と、無線通信部１２０等を制御する制御部１５０と、判定部１６０と、入力部としての機能を有するＵＳＢインターフェイス部１７０を含んで構成されている。なお、スキャンリストデータ１４２は、アクセスポイントに関する情報を示すデータであり、ネットワーク設定データ１４４は、プロジェクター１００における通信方式等を示すデータであり、接続用データ１４６は、接続用情報を設定するためのデータである。
【００１８】
また、プロジェクター１００は、以下のハードウェアを用いてこれらの各部として機能してもよい。例えば、プロジェクター１００は、無線通信部１２０は無線通信ユニット等、更新部１３０、制御部１５０、判定部１６０はＣＰＵ等、記憶部１４０は不揮発性メモリー等、ＵＳＢインターフェイス部１７０、１７２はＵＳＢインターフェイス等、受付部１８０は受光ユニット、操作ボタン等、投写部１９０は画像処理回路、ランプ、液晶パネル、液晶駆動回路、レンズ等を用いてもよい。
【００１９】
次に、本実施例における無線通信手順について説明する。図３は、第１の実施例における無線通信手順を示すフローチャートである。また、図４は、第１の実施例における無線ＬＡＮ設定画像（指定画像）４１０の一例を示す図である。また、図５は、第１の実施例におけるセキュリティー設定画像４２０の一例を示す図である。また、図６は、第１の実施例における設定完了画像４３０の一例を示す図である。
【００２０】
ユーザーは、プロジェクター１００のリモコン（リモートコントローラー）を操作することにより、プロジェクター１００に環境設定メニュー画像を投写させ、環境設定メニューからネットワーク設定メニューを選択する。投写部１９０は、受付部１８０からのネットワーク設定メニューが選択されたことを示す情報に基づき、ネットワーク設定画像（無線ＬＡＮ設定画像４１０、セキュリティー設定画像４２０、設定完了画像４３０等）を投写する（ステップＳ１）。なお、ネットワーク設定画像は、ＯＳＤ（On Screen Display）画像の一種である。
【００２１】
例えば、ネットワーク設定画像で無線ＬＡＮが選択された場合、投写部１９０は、無線ＬＡＮ設定画像４１０を含む画像４００を投写する。図４に示す例では、無線ＬＡＮ設定用のサブメニューで、接続モードとしてマニュアルモード（インフラストラクチャーモード）が選択され、ＳＳＩＤが入力されている。なお、図４のネットワーク設定画像４１０は、簡略化したものであるが、実際には、ＩＰアドレスの入力欄等も含む。
【００２２】
また、ネットワーク設定画像でセキュリティーが選択された場合、投写部１９０は、セキュリティー設定画像４２０を含む画像４０１を投写する。セキュリティー設定画像４２０は、ＷＥＰ（Wired Equivalent Privacy）、ＷＰＡ（Wi-Fi Protected Access）、ＥＡＰ（Extensible Authentication Protocol）等の認証方式を選択させる画像を含む。なお、投写部１９０は、選択された認証方式に応じてユーザー名、パスワード、電子証明書等を入力させる画像を投写する。また、認証方式には、ＷＰＡ−ＰＳＫ（Pre Shared Key）等の末尾にＰＳＫが付加された事前共有鍵対応の認証方式と、ＷＰＡ等の末尾にＰＳＫが付加されていない事前共有鍵非対応の認証方式がある。
【００２３】
また、ネットワーク設定画像で選択完了が選択された場合、投写部１９０は、設定完了画像４３０を含む画像４０２を投写する。判定部１６０は、受付部１８０からの情報に基づき、ネットワークの設定が完了したかどうかを判定する（ステップＳ２）。なお、更新部１３０は、入力されたＳＳＩＤ等を含むネットワーク設定を示すネットワーク設定データ１４４を記憶部１４０に記憶する。
【００２４】
ネットワークの設定が完了すると、制御部１５０は、無線通信部１２０を制御し、ネットワーク識別情報（ＳＳＩＤ等）を指定しない第１の要求パケットをブロードキャスト送信させる（ステップＳ３）。第１の要求パケットは、本発明の第１の要求情報に対応する。無線通信部１２０は、アクセスポイント３００等から、第１の要求パケットに対する応答である第１の応答パケットを受信する（ステップＳ４）。更新部１３０は、第１の応答パケットに基づき、スキャンリストデータ１４２を更新する（ステップＳ５）。アクセスポイントは、第１の要求パケットを受信すると、第１の応答パケットのペイロードに、当該アクセスポイントのＳＳＩＤとＢＳＳＩＤ（Basic Service Set Identifier）とを格納して送信する。一般的にはＢＳＳＩＤとしてＭＡＣ（Media Access Control）アドレスが用いられる。なお、非公開ＳＳＩＤの設定が行なわれたアクセスポイントは、第１の応答パケットのペイロードに、ＳＳＩＤとしてＮＵＬＬ（空値）を格納して送信する。更新部１３０は、スキャンリストデータ１４２に、アクセスポイントから受信した第１の応答パケットに含まれるＳＳＩＤとＢＳＳＩＤとを登録する。
【００２５】
判定部１６０は、スキャンリストデータ１４２と、ネットワーク設定データ１４４に基づき、入力されたＳＳＩＤと一致するＳＳＩＤを有するアクセスポイントのデータがスキャンリストデータ１４２にあるかどうかを判定する（ステップＳ６）。ＳＳＩＤが一致する場合、制御部１５０は、スキャンリストデータ１４２に基づき、信号強度の最も強いアクセスポイント３００に対し、当該ＳＳＩＤ、当該ＳＳＩＤに対応したＢＳＳＩＤを指定した第２の要求パケットを無線通信部１２０にユニキャスト送信させる（ステップＳ７）。第２の要求パケットは、本発明の第２の要求情報に対応する。なお、信号強度の最も強いアクセスポイント３００に接続できない場合、無線通信部１２０は、信号強度が２番目に強いアクセスポイント３００に対し、上記要求パケットを送信する。３番目以降も同様である。
【００２６】
一方、ＳＳＩＤが一致しない場合、例えば、スキャンリストデータ１４２におけるＳＳＩＤの値がＮＵＬＬになっているデータがある場合、制御部１５０は、当該データと、接続用データ１４６に基づき、認証方式と優先度に応じてＳＳＩＤを指定した第２の要求パケットを無線通信部１２０にユニキャスト送信させる（ステップＳ８）。なお、スキャンリストデータ１４２におけるＳＳＩＤの値がＮＵＬＬになっているデータは、非公開ＳＳＩＤの設定が行われたアクセスポイントに関するデータである。
【００２７】
図７は、第１の実施例における接続用データ１４６ａ、１４６ｂの一例を示す図である。例えば、制御部１５０は、ユーザーによって事前共有鍵対応の認証方式が選択された場合、事前共有鍵対応の接続用データ１４６ａを選択し、ユーザーによって事前共有鍵非対応の認証方式が選択された場合、事前共有鍵非対応の接続用データ１４６ｂを選択する。また、制御部１５０は、優先度が最も高い（優先度＝１）データから接続用情報に設定する。例えば、ユーザーによって事前共有鍵対応の認証方式が選択された場合、制御部１５０は、認証方式が「ＷＰＡ２−ＰＳＫ」、鍵交換方式のペアキーが「ＡＥＳ」、鍵交換方式のグループキーが「ＡＥＳ」であることを示すように接続用情報を設定する。ＡＥＳの他に、ＷＥＰやＴＫＩＰ（Temporal Key Integrity Protocol）を、上記したペアキーやグループキーとして選択することができる。なお、図７に示す接続用データ１４６の例は一例であり、接続用情報に設定される内容や優先度は図７に示す例に限定されない。
【００２８】
無線通信部１２０は、ステップＳ７またはステップＳ８のユニキャスト送信を行い、判定部１６０は、当該ユニキャスト送信によって対象のアクセスポイントとの接続に成功したかどうかを判定する（ステップＳ９）。プロジェクター１００は、接続に失敗した場合、ステップＳ３以降の処理を再度実行する。なお、２回目以降の第１の要求パケットは、ＳＳＩＤが指定されたものであってもよい。また、２回目以降のステップＳ８における第２の要求パケットは優先度が２番目以降の接続用情報が設定されたものになる。
【００２９】
以上のように、本実施例によれば、プロジェクター１００は、スキャンリストデータ１４２において、入力されたＳＳＩＤと一致するＳＳＩＤを有するデータがない場合であっても、接続用データ１４６に基づき、接続用情報を設定し、当該接続用情報と、入力されたＳＳＩＤとを指定した第２の要求情報をユニキャスト送信することができる。これにより、プロジェクター１００は、要求情報をブロードキャスト送信してもアクセスポイント３００から適切な応答が得られない場合であっても、アクセスポイント３００に接続することができる。
【００３０】
また、本実施例によれば、プロジェクター１００は、優先度に応じた認証方式を設定することにより、より迅速に所望のアクセスポイント３００に接続することができる。また、本実施例によれば、プロジェクター１００は、指定された認証方式に応じたデータを用いることにより、より確実に所望のアクセスポイント３００に接続することができる。さらに、本実施例によれば、プロジェクター１００は、ＳＳＩＤが非公開の設定になっているアクセスポイント３００であっても、接続に必要な情報を得ることができるため、アクセスポイント３００に接続することが可能になる。これにより、プロジェクター１００は、ＳＳＩＤが非公開の設定が行われたアクセスポイント３００に接続する場合であっても、接続エラーの発生を低減することができる。
【００３１】
（その他の実施例）
なお、本発明の適用は上述した実施例に限定されず、変形が可能である。例えば、投写部１９０は、入力部に入力されたＳＳＩＤと一致するＳＳＩＤを有するアクセスポイントの有無を示す判定結果画像を投写してもよい。また、投写部１９０は、アクセスポイント３００との接続に失敗した場合、エラー内容や、エラー番号を示す警告画像を投写してもよい。
【００３２】
また、無線通信装置１１０を接続可能な電子機器は、プロジェクター１００に限定されない。例えば、プリンター、複合機等に無線通信装置１１０が接続されて使用されてもよい。また、無線通信装置１１０は着脱可能な装置に限定されない。例えば、プロジェクター１００は、無線通信装置１１０の機能を内蔵してもよい。また、上述した出力部、入力部は、ＵＳＢインターフェイスに限定されず、例えば、ＩＥＥＥ１３９４等の他の入出力部であってもよい。
【００３３】
また、プロジェクター１００の有するコンピューターは、情報記憶媒体に記憶されたプログラムを読み取って制御部１５０等として機能してもよい。このような情報記憶媒体としては、例えば、ＣＤ−ＲＯＭ、ＤＶＤ−ＲＯＭ、ＲＯＭ、ＲＡＭ、ＨＤＤ等を適用できる。
【００３４】
また、プロジェクター１００は、液晶プロジェクター（透過型、ＬＣＯＳ等の反射型）に限定されず、例えば、デジタルマイクロミラーデバイスを用いたプロジェクター等であってもよい。また、投写部１９０は、ランプの代わりにＬＥＤ等の固体光源を含んでもよい。また、プロジェクター１００の機能を複数の装置（例えば、ＰＣとプロジェクター等）に分散してもよい。
【符号の説明】
【００３５】
１０  スクリーン、２０  画像、１００  プロジェクター、１１０  無線通信装置、１２０  無線通信部、１３０  更新部、１４０  記憶部、１４２  スキャンリストデータ、１４４  ネットワーク設定データ、１４６  接続用データ、１５０  制御部、１６０  判定部、１７０  ＵＳＢインターフェイス部（入力部）、１７２  ＵＳＢインターフェイス部（出力部）、１８０  受付部、１９０  投写部、２００  ＰＣ、３００  アクセスポイント、４００〜４０２  画像、４１０  無線ＬＡＮ設定画像（指定画像）、４２０  セキュリティー設定画像、４３０  設定完了画像
【図１】
0005527531.tif 000002
【図２】
0005527531.tif 000003
【図３】
0005527531.tif 000004
【図７】
0005527531.tif 000005
【図４】
0005527531.tif 000006
【図５】
0005527531.tif 000007
【図６】
0005527531.tif 000008